(57)【特許請求の範囲】
【請求項１】
撮像装置と通信可能な通信装置であって、
前記撮像装置に画像の撮像もしくは再生を指示する指示手段と、
他の通信装置との間で音声通話を行っている際に、前記指示手段による前記指示が行われた場合、前記撮像装置が画像の撮像状態もしくは再生状態になったことを前記通信装置が検知したことに応答して前記通信装置と前記他の通信装置との間の通信を、音声通話のための通信から画像を転送するための通信へ変更する変更手段と、
前記撮像装置から、前記撮像装置の撮像画像、もしくは、再生画像を取得する取得手段と、
前記変更手段により前記通信装置と前記他の通信装置との間の通信が、音声通話のための通信から画像を転送するための通信へ変更された場合に、前記取得手段により取得された画像を前記他の通信装置に転送する転送手段と、
を有することを特徴とする通信装置。
【請求項２】
前記通信装置と前記他の通信装置との間の通信が、音声通話のための通信であるか画像を転送するための通信であるかを示す情報を前記撮像装置に通知する第１の通知手段を更に有することを特徴とする請求項１に記載の通信装置。
【請求項３】
前記他の通信装置の機器情報を前記撮像装置に通知する第２の通知手段を更に有することを特徴とする請求項１または２に記載の通信装置。
【請求項４】
撮像装置と通信可能な通信装置の制御方法であって、
前記撮像装置に画像の撮像もしくは再生を指示する指示工程と、
他の通信装置との間で音声通話を行っている際に、前記指示が行われた場合、前記撮像装置が画像の撮像状態もしくは再生状態になったことを前記通信装置が検知したことに応答して前記通信装置と前記他の通信装置との間の通信を、音声通話のための通信から画像を転送するための通信へ変更する変更工程と、
前記撮像装置から、前記撮像装置の撮像画像、もしくは、再生画像を取得する取得工程と、
前記変更工程により前記通信装置と前記他の通信装置との間の通信が、音声通話のための通信から画像を転送するための通信へ変更された場合に、前記取得工程により取得された画像を前記他の通信装置に転送する転送工程と、
を有することを特徴とする制御方法。
【請求項５】
コンピュータを請求項１から３のいずれか１項に記載の通信装置として動作させるためのプログラム。
【発明の詳細な説明】
【技術分野】
【０００１】
本発明は、通信装置、通信装置の制御方法、およびプログラムに関する。
【背景技術】
【０００２】
近年、携帯端末は、一人一台保持するほど普及が進んでいる。携帯端末とユーザとの紐付けにより、携帯端末を用いて相手を特定した通信が実現可能である。また、携帯端末には音声通話機能に加え、メール機能やパケット通信機能、ＴＶ電話機能、Ｗｅｂブラウザ機能など数多くの機能が搭載され、多種多様な通信形態で相手の携帯端末との通信が可能となってきている。
【０００３】
特許文献１では、相手または宛先を特定する携帯端末の機能を用いて、撮像装置が携帯端末と連携し、撮像装置で撮影した画像を、携帯端末を経由して特定の受信端末に転送する技術が開示されている。特許文献１では、撮像装置により撮像した画像を、携帯端末を経由して受信端末に送る際に、まず携帯端末から受信端末に対して音声通話を開始し、音声通話の終了を検知した後に、音声通話からパケット通信に切り替えて受信端末へ画像を送信している。
【先行技術文献】
【特許文献】
【０００４】
【特許文献１】特開２００２−１９０８７８号公報
【発明の概要】
【発明が解決しようとする課題】
【０００５】
しかしながら、特許文献１に開示される技術では、音声通話中に、撮像装置と受信端末との間で音声通話と非同期な通信を行うことができない。例えば、撮像装置で撮影中の動画を転送する等のリアルタイム性を要する通信を行う場合、音声通話中は受信端末へ動画を転送することができない。そのため、受信端末へ動画を転送する際に、ユーザが通信形態を選択したり、切り替えたりする必要があり、ユーザにとって煩雑であるという課題がある。
【０００６】
上記の課題に鑑み、本発明は、受信端末へ動画を転送する際に必要となる煩雑な処理を低減し、ユーザの利便性を向上することを目的とする。
【課題を解決するための手段】
【０００７】
上記の目的を達成する本発明に係る通信装置は、
撮像装置と通信可能な通信装置であって、
前記撮像装置に画像の撮像もしくは再生を指示する指示手段と、
他の通信装置との間で音声通話を行っている際に、前記指示手段による前記指示が行われた場合、前記撮像装置が画像の撮像状態もしくは再生状態になったことを前記通信装置が検知したことに応答して前記通信装置と前記他の通信装置との間の通信を、音声通話のための通信から画像を転送するための通信へ変更する変更手段と、
前記撮像装置から、前記撮像装置の撮像画像、もしくは、再生画像を取得する取得手段と、
前記変更手段により前記通信装置と前記他の通信装置との間の通信が、音声通話のための通信から画像を転送するための通信へ変更された場合に、前記取得手段により取得された画像を前記他の通信装置に転送する転送手段と、
を有することを特徴とする。
【発明の効果】
【０００８】
本発明によれば、受信端末へ動画を転送する際に必要となる煩雑な処理を低減し、ユーザの利便性を向上することが可能となる。
【図面の簡単な説明】
【０００９】
【図１】第１実施形態に係るネットワーク構成を示す図。
【図２】ビデオカメラ１０１の構成を示すブロック図。
【図３】第一携帯電話１０２の構成を示すブロック図。
【図４】第１実施形態におけるビデオカメラ１０１、第一携帯電話１０２、および第二携帯電話１０６の間のシーケンス図。
【図５】第１実施形態に係るビデオカメラ１０１が実施する処理の手順を示すフローチャート。
【図６】第１実施形態に係る第一携帯電話１０２が実施する処理の手順を示すフローチャート。
【図７】第２実施形態に係るネットワーク構成を示す図。
【図８】テレビ７０２の構成を示すブロック図。
【図９】第２実施形態におけるビデオカメラ１０１、第一携帯電話１０２、第三携帯電話７０１、およびテレビ７０２の間のシーケンス図。
【図１０】第２実施形態に係る第一携帯電話１０２が実施する処理の手順を示すフローチャート。
【図１１】第２実施形態に係る第三携帯電話７０１が実施する処理の手順を示すフローチャート。
【発明を実施するための形態】
【００１０】
（第１実施形態）
図１を参照して、第１実施形態に係るネットワーク構成の一例を説明する。図１に示されるネットワークは、ビデオカメラ１０１と、第一携帯電話１０２（通信装置）と、第二携帯電話１０６（第二通信装置）とにより構成されている。ビデオカメラ１０１、第一携帯電話１０２、および第二携帯電話１０６は、それぞれ無線ＬＡＮ通信機能を有しているものとする。ビデオカメラ１０１と第一携帯電話１０２との間では、無線ＬＡＮにおけるＡｄ−ｈｏｃ通信を用いた端末間通信が可能である。
【００１１】
また第一携帯電話１０２、第二携帯電話１０６は、それぞれ基地局１０３、基地局１０５に接続しており、公衆網１０４を介して、音声通話機能、ＴＶ電話機能、メール機能、パケット通信機能等を用いて相互に通信が可能である。
【００１２】
ビデオカメラ１０１において録画開始または再生開始の指示があった場合に、ビデオカメラ１０１で録画中の録画動画もしくは再生している再生動画を、第一携帯電話１０２を介して第二携帯電話１０６へ転送を行うものとする。ビデオカメラ１０１からの動画転送では、まず、第一携帯電話１０２へ無線ＬＡＮネットワークを介して動画を転送する。そして第一携帯電話１０２と第二携帯電話１０６との間の動画の転送には、ＴＶ電話機能を用いて転送する方法や、パケット通信機能を用いて転送する方法等が用いられる。
【００１３】
第一携帯電話１０２と第二携帯電話１０６との間で動画を転送する方法や音声通話を「通信形態」と称する。また、第一携帯電話１０２が第二携帯電話１０６と通信中であるか否か、通信可能な状態であるか否か（圏外か否かなど）、さらには上述の通信形態を含んだ状態を「通信状態」と称する。
【００１４】
図２を参照して、ビデオカメラ１０１の構成の一例を説明する。ビデオカメラ１０１は、制御部２０１と、記憶部２０２と、無線通信処理部２０３と、アンテナ２０４と、無線ＬＡＮアンテナ制御部２０５と、表示部２０６と、操作部２０７と、電源部２０８と、画像処理部２０９と、通信状態処理部２１０と、記録媒体２１１とを備える。
【００１５】
制御部２０１は、記憶部２０２に記憶される制御プログラムを実行することによりビデオカメラ１０１全体を制御する。記憶部２０２は、制御部２０１が実行する制御プログラムと、通信に必要なパラメータ等の各種情報とを記憶する。後述する各種動作は、記憶部２０２に記憶された制御プログラムを制御部２０１が読み出して実行することにより行われる。無線通信処理部２０３は、無線ＬＡＮ通信処理を実行する。アンテナ２０４は、無線ＬＡＮ通信を行うためのアンテナである。そして、無線ＬＡＮアンテナ制御部２０５は、アンテナ２０４を制御する。表示部２０６は、各種表示を実行し、ＬＣＤやＬＥＤのように視覚で認知可能な情報の出力、あるいはスピーカなどの音出力が可能な機能を有する。操作部２０７は、ビデオカメラ１０１を操作するための指示をユーザから受け付ける。操作部２０７には、ユーザがビデオカメラ１０１に入力を行うための操作ボタン等が含まれる。電源部２０８は、ビデオカメラ１０１に電源を供給する。画像処理部２０９は、ビデオカメラ１０１で撮像した画像の処理、動画転送する際の画像サイズの変換処理、フレームレートの変換処理等を実行する。通信状態処理部２１０は、第一携帯電話１０２の通信状態の取得や、第一携帯電話１０２と第二携帯電話１０６との間の通信形態に関連した判定処理を行う。記録媒体２１１は、メモリーカードやＳＤカード等の記録媒体であり、撮像した動画や画像を記録する。
【００１６】
図３を参照して、第一携帯電話１０２の構成の一例を説明する。第一携帯電話１０２は、制御部３０１と、記憶部３０２と、電源部３０３と、無線通信処理部３０４と、公衆網アンテナ３０５と、公衆網アンテナ制御部３０６と、無線ＬＡＮアンテナ制御部３０７と、無線ＬＡＮアンテナ３０８と、表示部３０９と、操作部３１０と、通話部３１１と、画像処理部３１２と、通信形態制御部３１３とを備える。
【００１７】
制御部３０１は、記憶部３０２に記憶される制御プログラムを読み出して実行することにより第一携帯電話１０２全体を制御する。記憶部３０２は、制御部３０１が実行する制御プログラムと、通信に必要なパラメータ等の各種情報を記憶する。後述する各種動作は、記憶部３０２に記憶された制御プログラムを制御部３０１が読み出して実行することにより行われる。電源部３０３は、第一携帯電話１０２に電源を供給する。無線通信処理部３０４は、公衆網および無線ＬＡＮを用いた無線通信を行い、各種無線の制御を行うドライバやプロトコル処理部である。公衆網アンテナ３０５は、公衆網通信を行うためのアンテナである。公衆網アンテナ制御部３０６は、公衆網アンテナ３０５を制御する。公衆網通信には、例えばＩＭＴ規格やＬＴＥ規格などに準拠した通信やパケット通信が含まれる。無線ＬＡＮアンテナ制御部３０７は、無線ＬＡＮアンテナ３０８を制御する。無線ＬＡＮアンテナ３０８は、無線ＬＡＮ通信を行うためのアンテナである。表示部３０９は、各種表示を行い、ＬＣＤやＬＥＤのように視覚で認知可能な情報の出力、あるいはスピーカなどの音出力が可能な機能を有する。操作部３１０は、第一携帯電話１０２を操作するための指示をユーザから受け付ける。操作部３１０には、第一携帯電話１０２に入力を行うための操作ボタン等が含まれる。通話部３１１は、ユーザが通話を行うための機能を有する。画像処理部３１２は、ビデオカメラ１０１から転送された動画や画像の処理、ＴＶ電話用の画像の処理、第一携帯電話１０２で撮像した動画や画像の処理等を実行する。通信形態制御部３１３は、第一携帯電話１０２と第二携帯電話１０６との間の通信形態の制御を行う。
【００１８】
なお、上記ブロック構成は一例であり、複数の機能ブロックが１つの機能ブロックを構成するようにしてもよいし、何れかの機能ブロックが更に複数の機能ブロックに分かれて構成されてもよい。さらに異なる機能を有するブロックが追加されてもよい。また、本実施形態における第二携帯電話１０６は従来の携帯電話として構成されるため、ブロック図に関しては説明を省略する。
【００１９】
以下、本実施形態における一連の処理内容について説明する。まず、ビデオカメラ１０１と第一携帯電話１０２との間でビデオカメラ１０１の動画を第一携帯電話１０２の先の端末に動画転送するために、各機器が『動画転送モード』になる。この『動画転送モード』で互いに無線ＬＡＮ接続する。その後、第一携帯電話１０２において動画の転送先となる第二携帯電話１０６を指定して発呼を行う。呼が確立した後、ビデオカメラ１０１にて録画または再生が開始されると、第一携帯電話１０２を介してビデオカメラ１０１から第二携帯電話１０６へ録画中の動画またはビデオカメラ１０１で再生中の動画の転送が行われる。
【００２０】
図４を参照して、第１実施形態におけるビデオカメラ１０１、第一携帯電話１０２、および第二携帯電話１０６の間での上記一連の処理のシーケンスを具体的に説明する。なお、図４では第一携帯電話１０２と第二携帯電話１０６との間の基地局１０３、基地局１０５を省略して記載している。また、ビデオカメラ１０１の処理の詳細は、図５（ａ）および（ｂ）のフローチャートを参照して後述する。同様に第一携帯電話１０２の処理の詳細は、図６（ａ）および（ｂ）のフローチャートを参照して後述する。
【００２１】
図４において、最初に、ビデオカメラ１０１と第一携帯電話１０２とで、『動画転送モード』開始指示の操作がそれぞれ行われる。例えば、特定のボタンを押下することにより、あるいは表示部２０６、３０９に表示されるメニューから『動画転送モード』といった項目を選択することにより、開始指示が行われる。
【００２２】
『動画転送モード』が開始されると、ビデオカメラ１０１および第一携帯電話１０２は、それぞれ無線ＬＡＮの接続処理Ｍ４０１を開始する。無線ＬＡＮの接続処理では、予め『動画転送モード』用のパラメータを各機器が保持しておき、該パラメータを用いて接続してもよい。他には無線ＬＡＮのパラメータ簡単設定方式（ＷＰＳ：Ｗｉ−Ｆｉ  Ｐｒｏｔｅｃｔｅｄ  Ｓｅｔｕｐ）等を用いてパラメータを生成して接続するようにしてもよい。
【００２３】
無線ＬＡＮ接続後、ビデオカメラ１０１および第一携帯電話１０２は、それぞれ『動画転送モード』を実施するために必要なメッセージ交換処理Ｍ４０２を実行する。メッセージは例えば、各機器のデバイスタイプといった機器情報や能力情報、相互に機器を認証するための認証情報等である。メッセージ交換処理Ｍ４０２が終了すると、『動画転送モード』による動画転送が可能な状態となる。
【００２４】
次に、第一携帯電話１０２は、動画の転送先を選択する。この処理は、例えば第一携帯電話１０２に保持されている電話帳を用いてユーザが転送先を選択することによって行われる。本実施形態では第二携帯電話１０６が選択されたものとする。転送先が選択されると、第一携帯電話１０２は、第二携帯電話１０６に対して発呼Ｍ４０３する処理を行う。本実施形態では、発呼は音声通話の発呼を意味するものとするが、これに限るものではない。例えば、ＴＶ電話による発呼であってもよいし、発呼以外にもアプリケーションによるパケット通信の開始通知であってもよい。
【００２５】
第二携帯電話１０６は、第一携帯電話１０２の発呼に応じて、第一携帯電話１０２からの着信通知を受信する。第二携帯電話１０６が着信応答すると、呼の確立Ｍ４０４がなされ、第一携帯電話１０２と第二携帯電話１０６との間で音声通話Ｍ４０５が開始される。
【００２６】
ビデオカメラ１０１は、メッセージ交換処理が終了した後、録画または再生の開始指示を待っている。録画または再生の開始指示受付は、ビデオカメラ１０１の操作部２０７をユーザが操作することにより行われる。また、第一携帯電話１０２の不図示の指示送信部から送信された当該指示を、指示受信部により受信する構成であってもよい。本実施形態では、録画の開始指示が行われたものとする。録画の開始指示を受けると、ビデオカメラ１０１は、第一携帯電話１０２の通信状態取得処理を実行する。
【００２７】
まずビデオカメラ１０１は、通信状態取得要求Ｍ４０６を第一携帯電話１０２に送信し、通信状態取得応答Ｍ４０７の受信を待つ。第一携帯電話１０２は、ビデオカメラ１０１から通信状態取得要求Ｍ４０６を受信すると、公衆網側の通信形態を含んだ通信状態の情報を通信状態取得応答Ｍ４０７としてビデオカメラ１０１へ送信する。本実施形態では通信形態取得情報として音声通話中であることを示す情報と、第二携帯電話１０６と通信可能状態であることを示す情報とが、第一携帯電話１０２の通信状態の情報として、ビデオカメラ１０１へ送信される。
【００２８】
ビデオカメラ１０１は、第一携帯電話１０２から通信状態取得応答Ｍ４０７を受信すると、通信状態判定処理を行う。通信状態判定処理ではまず、第一携帯電話１０２が他の通信装置と通信中であるか否かを判定する。本実施形態では第二携帯電話１０６と通信中であると判定されたものとする。また、動画転送するために第一携帯電話１０２の通信形態の切替えが必要か否かを判定する。本実施形態では音声通話中であるため、動画転送を行うために動画転送用の通信形態であるＴＶ電話へ通信形態を切替えることが必要であると判定される。
【００２９】
通信状態判定処理では、第一携帯電話１０２が他の通信装置と通信中でなければ、他の通信装置との通信を開始すべきであると判定される。通信の開始のために、ビデオカメラ１０１の表示部２０６もしくは第一携帯電話１０２の表示部３０９に通信開始を促すようなメッセージを表示してもよい。もしくは第一携帯電話１０２の通話履歴情報を用いて、『動画転送モード』で通信履歴のある携帯端末に通信を自動で開始するようにしてもよい。または、ビデオカメラ１０１が第一携帯電話１０２から電話帳情報を取得して宛先を選択し、選択した宛先に通信を開始するように第一携帯電話１０２に通知してもよい。通知を受けた第一携帯電話１０２は、通知された宛先への通信を開始する。これにより第一携帯電話１０２を操作せずに、宛先との通信を開始できる。
【００３０】
なお通信状態判定処理により既にＴＶ電話を用いて通話が行われていると判定された場合は、通信形態切替えは不要と判定される。本実施形態ではＴＶ電話を用いて動画転送を行うようにしているが、パケット通信を用いて動画転送を行うようにしてもよい。なお通信状態取得処理・通信状態判定処理の一例を示したがこれに限るものではない。例えば、第一携帯電話１０２から定期的に通信状態をビデオカメラ１０１に通知するようにしてもよい。
【００３１】
ビデオカメラ１０１は、第一携帯電話１０２へ通信形態切替指示Ｍ４０８（通信変更指示）を送信する。第一携帯電話１０２は、不図示の通信変更指示受信部により通信形態切替指示Ｍ４０８を受信した場合、第二携帯電話１０６に対して通信形態切替要求Ｍ４０９を送信する。第二携帯電話１０６は、通信形態切替要求Ｍ４０９を受信すると、通信形態の切替が可能か否かの判定を行い、通信形態切替応答Ｍ４１０を第一携帯電話１０２へ送信する。本実施形態では音声通話からＴＶ電話への切替が可能と判定されたものとする。
【００３２】
第一携帯電話１０２は、第二携帯電話１０６から通信形態切替応答Ｍ４１０を受信すると、通信形態の切替えを行う。同様に第二携帯電話１０６でも通信形態の切替えが行われ、第一携帯電話１０２と第二携帯電話１０６との間の通信が音声通話からＴＶ電話に切替えられる。なお、通信形態の切替えが不可な場合は処理を終了するようにしてもよい。
【００３３】
第一携帯電話１０２は、通信形態の切替えを行った後、通信形態切替通知Ｍ４１１をビデオカメラ１０１へ送信する。通信形態切替通知Ｍ４１１の送信後、第一携帯電話１０２は、ビデオカメラ１０１からの動画の受信を待つ。
【００３４】
ビデオカメラ１０１は、第一携帯電話１０２から通信形態切替通知Ｍ４１１を受信すると、録画される画像を動画転送用の画像へ変換することが必要であるか否かを判定する。本実施形態では、録画される画像をＴＶ電話用のフォーマットに変換することが必要であると判定されるものとする。ビデオカメラ１０１は、動画転送用に画像の変換処理を行う。なお、ここで変換される画像は動画転送用に別途変換されるものであり、録画される画像自体の変換は行われずに記録媒体２１１に記録される。
【００３５】
ビデオカメラ１０１は、変換処理後、第一携帯電話１０２へ動画転送処理Ｍ４１２を行う。本実施形態では、画像の変換処理をビデオカメラ１０１が行っているが、ビデオカメラ１０１が画像の変換処理を行わず、第一携帯電話１０２が行うようにしてもよい。その場合、ビデオカメラ１０１から転送されてきた画像を第一携帯電話１０２がＴＶ電話用に変換処理する。
【００３６】
第一携帯電話１０２は、ビデオカメラ１０１から動画を受信すると、第二携帯電話１０６へ動画転送処理Ｍ４１３を行う。本実施形態では、第一携帯電話１０２が、ビデオカメラ１０１から転送されてきた動画像を第二携帯電話１０６にＴＶ電話で転送する画像として用いている。
【００３７】
ビデオカメラ１０１は、動画転送の開始後、動画転送の停止通知を受信したか否かの判定を行なう。例えば、ビデオカメラ１０１においてユーザにより録画停止の操作が行われた場合や、第一携帯電話１０２から録画停止通知があった場合に、動画転送の停止通知を受信したと判定できる。また、記録媒体２１１への書込みが容量的に不可となった場合や電源部２０８が停止（バッテリー切れ）した場合に、動画転送の停止通知を受信したと判定してもよい。ビデオカメラ１０１は、動画転送の停止通知を受信するまで動画転送処理を継続する。なお、記録媒体２１１への書込みが容量的に不可となった場合に、動画転送の停止通知を受信したものとして録画処理が停止してもよいが、動画転送は継続するようにしてもよい。本実施形態では、ビデオカメラ１０１においてユーザにより録画停止の操作が行われることにより、動画転送の停止通知を受信したものとする。
【００３８】
同様に第一携帯電話１０２は、動画転送の停止通知を受信したか否かの判定を行う。例えば、ビデオカメラ１０１から動画停止通知があった場合や、第二携帯電話１０６との通信が切断された場合などに、動画転送の停止通知を受信したと判定できる。
【００３９】
ビデオカメラ１０１と第一携帯電話１０２との間で、第一携帯電話１０２の通信状態取得処理・通信状態通知処理Ｍ４１４、Ｍ４１５、Ｍ４１６が行われる。この処理に関してはＭ４０６、Ｍ４０７、Ｍ４０８と同様であるため、ここでの記載は省略する。
【００４０】
ビデオカメラ１０１は、通信状態取得処理後、動画転送前の通信形態と動画転送処理中の通信形態との間で通信形態の変更が行われたか否かの判定を行う。本実施形態では動画転送前に音声通話を行っており、動画転送ではＴＶ電話に変更されていることから、通信形態の変更が行われたと判定される。
【００４１】
第一携帯電話１０２は、変更前の元の通信形態（本実施形態では音声通話）へ再度通信形態を切替えるために、通信形態切替要求Ｍ４１７を第二携帯電話１０６へ送信する。第二携帯電話１０６は、通信形態切替要求を受信すると、通信形態の切替が可能か否かの判定を行い、通信形態切替応答Ｍ４１８を第一携帯電話１０２へ送信する。本実施形態では、第一携帯電話１０２と第二携帯電話１０６との間の通信形態が、ＴＶ電話から音声通話Ｍ４１９へと切替えられる。
【００４２】
ビデオカメラ１０１は、動画転送モードの終了指示があったか否かの判定を行なう。動画転送モードの終了指示があった場合、無線ＬＡＮの切断処理Ｍ４２０を行い、動画転送モードを終了する。
【００４３】
次に図５（ａ）および（ｂ）のフローチャートを参照して、図４のシーケンスで説明したビデオカメラ１０１が実施する処理の手順を説明する。
【００４４】
動画転送モードの処理が開始すると、ステップＳ５０１において、ビデオカメラ１０１は、第一携帯電話１０２との間で無線ＬＡＮ接続処理Ｍ４０１を開始する。
【００４５】
ステップＳ５０２において、ビデオカメラ１０１は、第一携帯電話１０２との間で、『動画転送モード』を実施するために必要なメッセージ交換処理Ｍ４０２を行う。
【００４６】
ステップＳ５０３において、ビデオカメラ１０１は、録画または再生の開始指示を待つ。録画または再生の開始指示は、ビデオカメラ１０１の操作部２０７をユーザが操作することにより行われる。また、第一携帯電話１０２から当該指示を受信することにより行われてもよい。録画または再生の開始指示があった場合、ステップＳ５０４へ進む。
【００４７】
ステップＳ５０４において、ビデオカメラ１０１は、第一携帯電話１０２の通信状態取得処理を行う。この通信状態取得処理について、図５（ｂ）を用いて説明する。ステップＳ５１９において、ビデオカメラ１０１は、通信状態取得要求Ｍ４０６を第一携帯電話１０２へ送信する。ステップＳ５２０において、ビデオカメラ１０１は、第一携帯電話１０２からの通信状態取得応答の受信を待つ。通信状態取得応答を受信すると、処理を終了する。
【００４８】
ステップＳ５０５において、ビデオカメラ１０１は、通信状態判定処理を行う。通信状態判定処理ではまず、第一携帯電話１０２が他の通信装置と通信中であるか否かを判定する。本実施形態では第二携帯電話１０６と通信中であると判定されたものとする。また、動画転送するために第一携帯電話１０２の通信形態の切替えが必要か否かを判定する。本実施形態では音声通話中であるため、動画転送を行うためにＴＶ電話へ通信形態を切替えることが必要であると判定される。
【００４９】
通信状態判定処理では、第一携帯電話１０２が他の通信装置と通信中でなければ、他の通信装置との通信を開始すべきである判定される。通信の開始のために、ビデオカメラ１０１の表示部２０６もしくは第一携帯電話１０２の表示部３０９に通信開始を促すようなメッセージを表示してもよい。もしくは第一携帯電話１０２の通話履歴情報を用いて、『動画転送モード』で通信履歴のある携帯端末に通信を自動で開始するようにしてもよい。または、ビデオカメラ１０１が第一携帯電話１０２から電話帳情報を取得して宛先を選択し、選択した宛先に通信を開始するように第一携帯電話１０２に通知してもよい。通知を受けた第一携帯電話１０２は、通知された宛先への通信を開始する。これにより第一携帯電話１０２を操作せずに、宛先との通信を開始できる。
【００５０】
なお通信状態判定処理により既にＴＶ電話を用いて通話が行われていると判定された場合は、通信形態切替えは不要と判定される。本実施形態ではＴＶ電話を用いて動画転送を行うようにしているが、パケット通信を用いて動画転送を行うようにしてもよい。なお通信状態取得処理・通信状態判定処理の一例を示したがこれに限るものではない。例えば、第一携帯電話１０２から定期的に通信状態をビデオカメラ１０１に通知するようにしてもよい。
【００５１】
ステップＳ５０６において、ビデオカメラ１０１は、通信判定処理の結果、通信形態変更が必要か否かを判定する。通信形態の変更が必要であると判定された場合（Ｓ５０６；ＹＥＳ）、ステップＳ５０７へ進む。一方、通信形態の変更が不要であると判定された場合（Ｓ５０６；ＮＯ）、ステップＳ５０９へ進む。
【００５２】
ステップＳ５０７において、ビデオカメラ１０１は、第一携帯電話１０２へ通信形態切替指示Ｍ４０８を送信する。
【００５３】
ステップＳ５０８において、ビデオカメラ１０１は、第一携帯電話１０２から通信形態切替通知Ｍ４１１を受信したか否かを判定する。通信形態切替通知Ｍ４１１を受信したと判定された場合（Ｓ５０８；ＹＥＳ）、ステップＳ５０９へ進む。一方、通信形態切替通知Ｍ４１１を受信していないと判定された場合（Ｓ５０８；ＮＯ）、受信するまで待機する。
【００５４】
ステップＳ５０９において、ビデオカメラ１０１は、動画転送用に画像の変換処理が必要であるか否かを判定する。画像の変換処理が必要であると判定された場合（Ｓ５０９；ＹＥＳ）、ステップＳ５１０へ進む。一方、画像の変換処理が不要であると判定された場合（Ｓ５０９；ＮＯ）、ステップＳ５１１へ進む。
【００５５】
ステップＳ５１０において、ビデオカメラ１０１は、動画転送用に画像の変換処理を行う。なお、ここで変換される画像は動画転送用に別途変換されるものであり、録画される画像は変換されずに記録媒体２１１に記録される。
【００５６】
ステップＳ５１１において、ビデオカメラ１０１は、第一携帯電話１０２へ動画転送Ｍ４１２を行う。本実施形態では、画像の変換処理をビデオカメラ１０１が行っているが、ビデオカメラ１０１で画像の変換処理を行わず、第一携帯電話１０２が行うようにしてもよい。その場合、ビデオカメラ１０１から転送されてきた画像を第一携帯電話１０２がＴＶ電話用に変換処理する。
【００５７】
ステップＳ５１２において、ビデオカメラ１０１は、動画転送の開始後、動画転送の停止通知を受信したか否かの判定を行なう。例えば、ビデオカメラ１０１においてユーザにより録画停止の操作が行われた場合や、第一携帯電話１０２から録画停止通知があった場合に、動画転送の停止通知を受信したと判定できる。動画転送の停止通知を受信したと判定された場合（Ｓ５１２；ＹＥＳ）、ステップＳ５１３へ進む。一方、動画転送の停止通知を受信していないと判定された場合（Ｓ５１２；ＮＯ）、ステップＳ５０９へ戻り、動画転送を継続する。
【００５８】
ステップＳ５１３において、ビデオカメラ１０１は、動画転送処理を停止する。ステップＳ５１４において、ビデオカメラ１０１は、ステップＳ５０４と同様に通信状態取得処理を行う。ステップＳ５１５において、ビデオカメラ１０１は、通信判定処理の結果、通信形態変更が必要か否かを判定する。通信形態の変更が必要であると判定された場合（Ｓ５１５；ＹＥＳ）、ステップＳ５１６へ進む。一方、通信形態の変更が不要であると判定された場合（Ｓ５１５；ＮＯ）、ステップＳ５１７へ進む。本実施形態では、動画転送前に音声通話を行っており、動画転送のためにＴＶ電話に通信形態が変更されていることから、通信形態のＴＶ電話から音声通話への変更が必要であると判定される。
【００５９】
ステップＳ５１６において、ビデオカメラ１０１は、元の通信形態（本実施形態では音声通話）へ再度通信形態の切替えを行うために、通信形態切替要求Ｍ４１７を第一携帯電話１０２へ送信する。
【００６０】
ステップＳ５１７において、ビデオカメラ１０１は、動画転送モードの終了指示があったか否かの判定を行なう。動画転送モードの終了指示があったと判定された場合（Ｓ５１７；ＹＥＳ）、ステップＳ５１８へ進む。一方、動画転送モードの終了指示がないと判定された場合（Ｓ５１７；ＮＯ）、ステップＳ５０３へ戻る。ステップＳ５１８において、ビデオカメラ１０１は、無線ＬＡＮの切断処理Ｍ４２０を行い、動画転送モードを終了する。
【００６１】
さらに図６（ａ）および（ｂ）のフローチャートを参照して、図４のシーケンスで説明した第一携帯電話１０２が実施する処理の手順を説明する。『動画転送モード』が開始されると、ステップＳ６０１において、第一携帯電話１０２は、ビデオカメラ１０１との無線ＬＡＮ接続処理Ｍ４０１を開始する。
【００６２】
ステップＳ６０２において、第一携帯電話１０２は、ビデオカメラ１０１との間で、『動画転送モード』を実施するために必要なメッセージ交換処理Ｍ４０２を行う。ステップＳ６０３において、第一携帯電話１０２は、例えばユーザの指示により動画の転送先を選択する。例えば、第一携帯電話１０２に保持されている電話帳を用いて転送先が選択される。本実施形態では第二携帯電話１０６が選択されたものとする。
【００６３】
ステップＳ６０４において、第一携帯電話１０２は、転送先の選択に応じて発呼処理を行う。本実施形態では、発呼は音声通話の発呼を行うものとするが、これに限るものではない。例えば、ＴＶ電話による発呼であってもよいし、発呼以外にも、アプリケーションによるパケット通信の開始通知であってもよい。
【００６４】
ステップＳ６０５において、第一携帯電話１０２は、第二携帯電話１０６との間で呼が確立した否かを判定する。呼が確立したと判定された場合（Ｓ６０５；ＹＥＳ）、ステップＳ６０６へ進む。一方、呼が確立していないと判定された場合（Ｓ６０５；ＮＯ）、呼が確立するまで待機する。
【００６５】
ステップＳ６０６において、第一携帯電話１０２は、通信状態通知処理を実行する。この通信状態通知処理について図６（ｂ）を参照して説明する。ステップＳ６２４において、第一携帯電話１０２は、ビデオカメラ１０１から通信状態取得要求Ｍ４０６を受信したか否かを判定する。通信状態取得要求Ｍ４０６を受信したと判定された場合（Ｓ６２４；ＹＥＳ）、ステップＳ６２５へ進む。一方、通信状態取得要求Ｍ４０６を受信していないと判定された場合（Ｓ６２４；ＮＯ）、受信するまで待機する。
【００６６】
ステップＳ６２５において、第一携帯電話１０２は、公衆網側の通信形態を含んだ通信状態の情報を、通信状態取得応答Ｍ４０７としてビデオカメラ１０１に送信する。本実施形態では通信形態として音声通話中であること、第二携帯電話１０６と通信可能状態であることが第一携帯電話１０２の通信状態の情報として送信される。以上のようにして通信状態通知処理が実行される。
【００６７】
ステップＳ６０７において、第一携帯電話１０２は、通信形態切替指示を受信したか否かを判定する。通信形態切替指示を受信したと判定された場合（Ｓ６０７；ＹＥＳ）、ステップＳ６０８へ進む。一方、通信形態切替指示を受信していないと判定された場合（Ｓ６０７；ＮＯ）、ステップＳ６１２へ進む。
【００６８】
ステップＳ６０８において、第一携帯電話１０２は、第二携帯電話１０６に対して通信形態切替要求Ｍ４０９を送信する。ステップＳ６０９において、第一携帯電話１０２は、通信形態切替応答Ｍ４１０を受信したか否かを判定する。通信形態切替応答Ｍ４１０を受信したと判定された場合（Ｓ６０９；ＹＥＳ）、ステップＳ６１０へ進む。一方、通信形態切替応答Ｍ４１０を受信していないと判定された場合（Ｓ６０９；ＮＯ）、受信するまで待機する。
【００６９】
ステップＳ６１０において、第一携帯電話１０２は、通信形態の切替えを行う。この際に第二携帯電話１０６でも同様に通信形態の切替えが行われ、第一携帯電話１０２と第二携帯電話１０６との間の通信が音声通話からＴＶ電話に切替えられるものとする。なお、通信形態の切替えが不可な場合は処理を終了するようにしてもよい。
【００７０】
ステップＳ６１１において、第一携帯電話１０２は、通信形態切替通知Ｍ４１１をビデオカメラ１０１へ送信する。ステップＳ６１２において、第一携帯電話１０２は、ビデオカメラ１０１から動画を受信したか否かを判定する。動画を受信したと判定された場合（Ｓ６１２；ＹＥＳ）、ステップＳ６１３へ進む。動画を受信していないと判定された場合（Ｓ６１２；ＮＯ）、受信するまで待機する。
【００７１】
ステップＳ６１３において、第一携帯電話１０２は、通信形態の変更後、第二携帯電話１０６へ動画転送処理を行う。本実施形態では、第一携帯電話１０２は、ビデオカメラ１０１から転送されてきた動画像を第二携帯電話１０６にＴＶ電話で転送する画像として用いる。
【００７２】
ステップＳ６１４において、第一携帯電話１０２は、動画転送の停止通知を受信したか否かを判定する。例えば、ビデオカメラ１０１から動画停止通知があった場合や、第二携帯電話１０６との通信が切断された場合に、動画転送の停止通知を受信したと判定すればよい。動画転送の停止通知を受信したと判定された場合（Ｓ６１４；ＹＥＳ）、ステップＳ６１５へ進む。一方、動画転送の停止通知を受信していないと判定された場合（Ｓ６１４；ＮＯ）、ステップＳ６１２へ戻る。
【００７３】
ステップＳ６１５において、第一携帯電話１０２は、第二携帯電話１０６への動画転送を停止する。ステップＳ６１６において、第一携帯電話１０２は、通信状態通知処理を行う。この処理は図６（ｂ）を参照して説明した処理と同様であるため、説明を省略する。
【００７４】
なおステップＳ６１７−ステップＳ６２０では、ステップＳ６０７−ステップＳ６１０と同様の処理が行われるため、説明を省略する。本実施形態においては、ステップＳ６１７−ステップＳ６２０により、第一携帯電話１０２と第二携帯電話１０６との間の通信形態がＴＶ電話から音声通話Ｍ４１９へと切替えられる。
【００７５】
ステップＳ６２１において、第一携帯電話１０２は、動画転送モードの終了指示があったか否かを判定する。動画転送モードの終了指示があったと判定された場合（Ｓ６２１；ＹＥＳ）、ステップＳ６２３へ進む。一方、動画転送モードの終了指示がないと判定された場合（Ｓ６２１；ＮＯ）、ステップＳ６２２へ進む。
【００７６】
ステップＳ６２２において、第一携帯電話１０２は、第二携帯電話１０６との間の呼が切断されているか否かを判定する。呼が切断されていると判定された場合（Ｓ６２２；ＹＥＳ）、ステップＳ６０３へ戻る。一方、呼が維持されていると判定された場合（Ｓ６２２；ＮＯ）、ステップＳ６０６へ戻る。
【００７７】
ステップＳ６２３において、第一携帯電話１０２は、無線ＬＡＮの切断処理を行い、動画転送モードを終了する。
【００７８】
以上、本実施形態を実施することにより、「録画開始」「録画停止」といったビデオカメラ１０１の状態に連動して第一携帯電話１０２と第二携帯電話１０６間を適切な通信形態に切替えることができる。これにより、ユーザの利便性が向上する。
【００７９】
本実施形態ではビデオカメラ１０１を操作して録画の開始指示を行ったが、第一携帯電話１０２の操作でビデオカメラ１０１に対して録画の開始指示・停止指示を通知するようにしてもよい。その場合録画の開始指示・停止指示は無線ＬＡＮを介して第一携帯電話１０２からビデオカメラ１０１へ通知される。
【００８０】
さらには第一携帯電話１０２と第二携帯電話１０６とが接続している場合、第二携帯電話１０６を操作し、第一携帯電話１０２を介してビデオカメラ１０１に対して録画の開始指示を行うようにしてもよい。
【００８１】
本実施形態によれば、撮像装置が第一携帯電話を介して第二携帯電話にデータ転送を行う場合に、撮像装置の状態に応じて第一携帯電話と第二携帯電話との間の通信形態を設定することが可能となる。これにより、リアルタイム性を有する動画転送などの通信においても第一携帯電話および第二携帯電話間に適した通信形態を選択し、切替えることが可能となる。さらには、簡易な操作（録画・再生の開始／停止指示）のみで通信形態の切替えが実施可能となり、ユーザの利便性向上に寄与する。
【００８２】
（第２実施形態）
図７を参照して、第２実施形態に係るネットワーク構成の一例を説明する。図７に示されるネットワークは、ビデオカメラ１０１と、第一携帯電話１０２と、第三携帯電話７０１と、テレビ７０２とにより構成されている。
【００８３】
本実施形態において、ビデオカメラ１０１、第一携帯電話１０２は、それぞれ第１実施形態で説明した機器と同様である。また第三携帯電話７０１は、第一携帯電話１０２と同様の構成であり、無線ＬＡＮの通信機能を有する。テレビ７０２も無線ＬＡＮの通信機能を有するものとする。第三携帯電話７０１とテレビ７０２との間では無線ＬＡＮにおけるＡｄ−ｈｏｃ通信を用いた端末間通信が可能である。
【００８４】
本実施形態におけるビデオカメラ１０１、第一携帯電話１０２、第三携帯電話７０１の構成は図２、図３で説明した構成と同様のため、説明を省略する。
【００８５】
ここで図８を参照して、第２実施形態に係るテレビ７０２のブロック構成の一例を説明する。テレビ７０２は、制御部８０１と、記憶部８０２と、無線通信処理部８０３と、アンテナ８０４と、無線ＬＡＮアンテナ制御部８０５と、表示部８０６と、操作部８０７と、電源部８０８と、画像処理部８０９とを備える。
【００８６】
制御部８０１−電源部８０８は、図２を参照して説明した制御部２０１−電源部２０８と同様の機能を有するため説明を省略する。画像処理部８０９は、外部から入力された動画や画像を、表示部８０６に表示するための画像処理を行う。
【００８７】
なお、上記ブロック構成は一例であり、複数の機能ブロックが１つの機能ブロックを構成するようにしてもよいし、何れかの機能ブロックが更に複数の機能ブロックに分かれて構成されてもよい。
【００８８】
以下、本実施形態における一連の処理内容について説明する。まず、ビデオカメラ１０１と第一携帯電話１０２との間でビデオカメラ１０１の動画を第一携帯電話１０２の先の端末に動画転送するために、各機器が『動画転送モード』になり、互いに無線ＬＡＮ接続する。その後、第一携帯電話１０２において動画の転送先となる第三携帯電話７０１を指定して発呼を行う。呼が確立した後、第三携帯電話７０１とテレビ７０２との間で各機器が『動画受信モード』になり、互いに無線ＬＡＮ接続する。その後、ビデオカメラ１０１において録画または再生が開始されると第一携帯電話１０２および第三携帯電話７０１を介して、テレビ７０２へ録画中の動画またはビデオカメラ１０１で再生中の動画の転送が行われる。
【００８９】
図９を参照して、第２実施形態におけるビデオカメラ１０１、第一携帯電話１０２、第三携帯電話７０１、およびテレビ７０２の間での上記一連の処理のシーケンスを具体的に説明する。なお、図９では第一携帯電話１０２と第二携帯電話１０６との間の基地局１０３、基地局１０５を省略して記載している。なお、図９のＭ４０１−Ｍ４２０は第１実施形態と同様の処理であるため、ここでの説明は省略し、第１実施形態との差分であるＭ９０１−Ｍ９０７の処理内容について主に説明する。
【００９０】
まず、音声通話Ｍ４０５により、第一携帯電話１０２と第三携帯電話７０１との間で音声通話が開始した後、第三携帯電話７０１とテレビ７０２との間で『動画受信モード』開始指示の操作が行われる。例えば、特定のボタンを押下することにより、あるいは表示部に表示されるメニューから『動画受信モード』といった項目をユーザが選択することにより開始指示が行われる。『動画受信モード』が開始されると、第三携帯電話７０１およびテレビ７０２は、それぞれ無線ＬＡＮの接続処理Ｍ９０１を開始する。無線ＬＡＮの接続処理には予め『動画受信モード』用のパラメータを各機器が保持しておき、該パラメータを用いて接続してもよい。他には無線ＬＡＮのパラメータ簡単設定方式（ＷＰＳ：Ｗｉ−Ｆｉ  Ｐｒｏｔｅｃｔｅｄ  Ｓｅｔｕｐ）等を用いてパラメータを生成して接続するようにしてもよい。
【００９１】
無線ＬＡＮ接続後、第三携帯電話７０１およびテレビ７０２はそれぞれ『動画受信モード』を実施するために必要なメッセージ交換処理Ｍ９０２を行う。メッセージは、例えば、各機器のデバイスタイプといった機器情報や能力情報、相互に機器を認証するための認証情報である。
【００９２】
メッセージ交換処理Ｍ９０２が終了すると、『動画受信モード』による動画受信が可能な状態となり、第一携帯電話１０２から転送されてきた動画は第三携帯電話７０１を介してテレビ７０２に転送が可能な状態となる。
【００９３】
ビデオカメラ１０１において録画開始の指示があると、通信状態取得要求Ｍ４０６が第一携帯電話１０２に送信される。第一携帯電話１０２は通信状態取得要求Ｍ４０６を受信すると、通信状態通知処理を開始する。これは第１実施形態で説明した図６のＳ６０６の処理に相当する。本実施形態では、第一携帯電話１０２は、通信状態通知処理により、第三携帯電話７０１側の通信状態も含めた通信状態をビデオカメラ１０１へ通知する。
【００９４】
ここで図１０は、第２実施形態における第一携帯電話１０２の通信状態通知処理の手順を示すフローチャートである。図１０では、ステップＳ１００１において、第一携帯電話１０２は、ビデオカメラ１０１から通信状態取得要求Ｍ４０６、Ｍ４１４を受信したか否かを判定する。通信状態取得要求Ｍ４０６、Ｍ４１４を受信したと判定された場合（Ｓ１００１；ＹＥＳ）、ステップＳ１００２へ進む。一方、通信状態取得要求Ｍ４０６、Ｍ４１４を受信していないと判定された場合（Ｓ１００１；ＮＯ）、受信するまで待機する。
【００９５】
ステップＳ１００２において、第一携帯電話１０２は、宛先となる第三携帯電話７０１の通信状態を取得するために、宛先通信状態取得要求Ｍ９０３、Ｍ９０６を第三携帯電話７０１へ送信する。宛先通信状態取得要求Ｍ９０３、Ｍ９０６は、第一携帯電話１０２と第三携帯電話７０１との間の音声通話中に、音声通話のバックグラウンドでパケット通信を用いて実施される。
【００９６】
ステップＳ１００３において、第一携帯電話１０２は、宛先通信状態取得応答Ｍ９０４、Ｍ９０７を第三携帯電話７０１から受信したか否かを判定する。宛先通信状態取得応答Ｍ９０４、Ｍ９０７を受信したと判定された場合（Ｓ１００３；ＹＥＳ）、ステップＳ１００４へ進む。宛先通信状態取得応答Ｍ９０４、Ｍ９０７を受信していないと判定された場合（Ｓ１００３；ＮＯ）、受信するまで待機する。
【００９７】
ステップＳ１００４において、第一携帯電話１０２は、ビデオカメラ１０１へ通信状態取得応答Ｍ４０７、Ｍ４１５を送信する。以上で図１０のフローチャートの各処理が終了する。
【００９８】
図１１は、第２実施形態における第三携帯電話７０１の通信状態通知処理の手順を示すフローチャートである。図１１では、ステップＳ１１０１において、第三携帯電話７０１は、第一携帯電話１０２から宛先通信状態取得要求Ｍ９０３、Ｍ９０６を受信したか否かを判定する。宛先通信状態取得要求Ｍ９０３、Ｍ９０６を受信したと判定された場合（Ｓ１１０１；ＹＥＳ）、ステップＳ１１０２へ進む。一方、宛先通信状態取得要求Ｍ９０３、Ｍ９０６を受信していないと判定された場合（Ｓ１１０１；ＮＯ）、受信するまで待機する。
【００９９】
ステップＳ１１０２において、第三携帯電話７０１は、第三携帯電話７０１とテレビ７０２との間の通信状態を判定する。
【０１００】
ステップＳ１１０３において、第三携帯電話７０１は、第一携帯電話１０２へ宛先通信状態取得応答Ｍ９０４、Ｍ９０７を送信する。以上で図１１のフローチャートの各処理が終了する。
【０１０１】
図１０および図１１を参照すると、本実施形態において第一携帯電話１０２は、ステップＳ１００１で通信状態取得要求を受信すると、ステップＳ１００２へ進む。ステップＳ１００２では宛先となる第三携帯電話７０１の通信状態を取得するために、宛先通信状態取得要求Ｍ９０３を送信する。宛先通信状態取得要求Ｍ９０３は、第一携帯電話１０２と第三携帯電話７０１との間での音声通話中に、音声通話のバックグラウンドでパケット通信を用いて実施される。第一携帯電話１０２は、宛先通信状態取得要求Ｍ９０３を送信した後、ステップＳ１００３ヘ進み、応答を待つ。
【０１０２】
第三携帯電話７０１は、ステップＳ１１０１で宛先通信状態取得要求Ｍ９０３を受信すると、ステップＳ１１０２へ進み、第三携帯電話７０１とテレビ７０２との間の通信状態の判定を行う。本実施形態では、第三携帯電話７０１とテレビ７０２との間は『動画受信モード』で無線ＬＡＮ接続し、通信可能な状態にあるため、第三携帯電話７０１は自端末に接続中の機器（テレビ７０２）に動画転送が可能であると判定される。
【０１０３】
第三携帯電話７０１の通信状態判定後、ステップＳ１１０３へ進み、宛先通信状態取得応答Ｍ９０４の送信を行う。
【０１０４】
ここで、メッセージ交換処理Ｍ９０２時に、テレビ７０２の機器能力情報として表示可能なフレームレート情報、解像度情報、または画面サイズ情報の少なくとも何れかを示す情報が、テレビ７０２から第三携帯電話７０１へ提供されている。
【０１０５】
テレビ７０２への動画転送が可能であるという通信状態に加えて、テレビ７０２の動画表示における機器能力情報が宛先通信状態取得応答に含まれる。さらには、第三携帯電話７０１の機器能力情報も宛先通信状態応答に含めて送信するようにしてもよい。第三携帯電話７０１の機器能力情報としては、第三携帯電話がルータ（ゲートウェイ）として動作可能か否かといった情報が挙げられる。宛先通信状態取得応答Ｍ９０４が第一携帯電話１０２へ送信される。宛先通信状態取得応答Ｍ９０４の送信後、通信状態通知処理は終了する。
【０１０６】
本実施形態では、テレビ７０２が第三携帯電話７０１に接続中である場合について示したが、接続中の機器がない場合は、第三携帯電話７０１の動画表示における能力情報を宛先通信状態取得応答に含めて送信するようにしてもよい。これは例えば、第三携帯電話７０１で表示可能なフレームレート情報、解像度情報、画面サイズ情報等である。
【０１０７】
第一携帯電話１０２は、ステップＳ１００３で宛先通信状態取得応答Ｍ９０４を受信すると、ステップＳ１００４へ進む。ステップＳ１００４において、第一携帯電話１０２は、ステップＳ１００３で受信した宛先通信状態取得応答Ｍ９０４に含まれる情報を通信状態取得応答Ｍ４０７としてビデオカメラ１０１へ送信する。送信後、第一携帯電話１０２における通信状態通知処理は終了する。
【０１０８】
ビデオカメラ１０１は、通信状態取得応答Ｍ４０７を受信した後、第１実施形態と同様に通信状態判定処理を行う。本実施形態では、宛先である第三携帯電話７０１の先にさらにテレビ７０２が『動画受信モード』で接続されていると判定される。また、第三携帯電話７０１がルータとしても動作可能であると判定される。
【０１０９】
なお第一携帯電話１０２もルータとして動作可能であるか否かを示す情報は、ビデオカメラ１０１と第一携帯電話１０２との間のメッセージ交換処理Ｍ４０２時に収集可能である。
【０１１０】
本実施形態では、これらの情報から、第一携帯電話１０２と第三携帯電話７０１との間の通信形態として、第一携帯電話１０２、第三携帯電話７０１をルータとして動作させてＩＰ通信を行う通信形態が決定される。そして、ビデオカメラ１０１は、通信形態切替指示Ｍ４０８にその旨を示す情報を含めて、第一携帯電話１０２へ送信する。
【０１１１】
第一携帯電話１０２は、通信形態切替指示Ｍ４０８を受信すると、自機器がルータとなって第三携帯電話７０１との間でＩＰ通信を行う旨を通信形態切替要求Ｍ４０９に含めて、第三携帯電話７０１へ送信する。
【０１１２】
第三携帯電話７０１は、通信形態切替要求Ｍ４０９を受信すると、自機器をルータとして動作可能か否かを通信形態切替応答Ｍ４１０に含めて第一携帯電話１０２へ送信する。本実施形態では、第三携帯電話７０１はルータとして動作可能である旨が通信形態切替応答に含まれる。また、ルータとして動作する場合に、第一携帯電話１０２と第三携帯電話７０１間のＩＰ通信に必要な情報（ＩＰアドレス等）は通信形態切替要求Ｍ４０９、通信形態切替応答Ｍ４１０に含めて送信するようにしてもよい。
【０１１３】
第一携帯電話１０２と第三携帯電話７０１とがルータとなり、通信形態が音声通話からＩＰ通信へ切替えられると、通信形態切替通知Ｍ４１１が第一携帯電話１０２からビデオカメラ１０１へ送信される。
【０１１４】
ビデオカメラ１０１は、通信形態切替通知Ｍ４１１を受信すると、テレビ７０２の動画表示における機器能力情報に応じて画像変換を行い、動画転送Ｍ４１２を開始する。動画は、ビデオカメラ１０１から第一携帯電話１０２へ転送され、さらに第一携帯電話１０２から第三携帯電話７０１へＩＰ通信により転送される。第三携帯電話７０１は、転送された動画を、無線ＬＡＮを介してさらにテレビ７０２へ動画転送Ｍ９０５する。
【０１１５】
テレビ７０２は、転送されてきた動画を画像処理部８０９により画像処理し、表示部８０６に表示する。これにより、ビデオカメラ１０１で撮影中の動画がテレビ７０２で視聴可能になる。
【０１１６】
ビデオカメラ１０１は、動画転送中に停止の指示を受けると、通信状態取得要求Ｍ４１４を第一携帯電話１０２へ送信する。例えば、ビデオカメラ１０１において録画停止・再生停止の操作が行われた場合や、第一携帯電話１０２あるいはテレビ７０２からビデオカメラ１０１へ録画停止・再生停止通知があった場合に、動画転送停止の指示があったものとする。記録媒体２１１への書込みが容量的に不可となった場合や電源部が停止（バッテリー切れ）した場合などでもよい。さらには、第三携帯電話７０１とテレビ７０２との間の無線ＬＡＮ接続が切断された場合などでもよい。
【０１１７】
第一携帯電話１０２は、通信状態取得要求Ｍ４１４を受信すると、第三携帯電話７０１側の通信状態を取得するために、宛先通信状態取得要求Ｍ９０６を第三携帯電話７０１へ送信する。
【０１１８】
第三携帯電話７０１は、宛先通信状態取得要求Ｍ９０６を受信すると、第三携帯電話７０１とテレビ７０２との間の通信状態を収集し、収集した通信状態を宛先通信状態取得応答Ｍ９０７に含めて第一携帯電話１０２へ送信する。
【０１１９】
第一携帯電話１０２は、宛先通信状態取得応答Ｍ９０７を受信すると、第三携帯電話７０１側の通信状態と、第一携帯電話１０２と第三携帯電話７０１との間の通信状態とを含んだ通信状態取得応答Ｍ４１５をビデオカメラ１０１へ送信する。
【０１２０】
ビデオカメラ１０１は、通信状態取得応答Ｍ４１５を受信すると、録画停止後の第一携帯電話１０２と第三携帯電話７０１との間の通信形態を決定し、通信形態の変更が必要な場合は通信形態の切替え指示を行う。通信形態は、第三携帯電話７０１側の通信状態と、第一携帯電話１０２と第三携帯電話７０１との間の通信状態とに応じて決定される。例えば、第三携帯電話７０１とテレビ７０２とが接続中であれば、第一携帯電話１０２と第三携帯電話７０１との間の通信形態をＴＶ電話に切替える。これにより、第一携帯電話１０２のＴＶ電話画像を、第三携帯電話７０１を介してテレビ７０２へ転送し、表示することが可能となる。
【０１２１】
また、第三携帯電話７０１とテレビ７０２との接続が切断されていれば、第一携帯電話１０２と第三携帯電話７０１との間の通信形態を音声通話に切替える。以降のシーケンスについては第１実施形態と同様であるため、ここでの説明は省略する。
【０１２２】
以上説明したように、本実施形態によれば、ビデオカメラ１０１の撮像状態に加えて、第三携帯電話７０１とテレビ７０２との間の通信状態に連動して第一携帯電話１０２と第二携帯電話１０６との間を適した通信形態に切替えることができる。すなわち、動画転送を受信する側の状態を考慮した通信形態の切替えを行うことができ、動画転送の送信側、受信側双方のユーザの利便性が向上する。
【０１２３】
なお、第一携帯電話１０２と第三携帯電話７０１とが接続しており、さらに第三携帯電話７０１とテレビ７０２とが接続している場合、テレビ７０２を操作し、ビデオカメラ１０１へ録画開始指示・録画停止指示を行うようにしてもよい。
【０１２４】
また、本実施形態ではビデオカメラ１０１がテレビ７０２の動画表示における機器能力情報に応じた画像変換処理を行っているが、画像変換処理は第一携帯電話１０２が行ってもよい。
【０１２５】
以上、第１実施形態、第２実施形態について説明したが、各実施形態においては、ビデオカメラ１０１が第一携帯電話１０２の通信状態を確認した。しかしながら、これ以外にも、第一携帯電話１０２がビデオカメラ１０１の撮像状態を確認するようにしてもよい。第一携帯電話１０２が、ビデオカメラ１０１が録画状態ないし再生状態になったことを検知し、第一携帯電話１０２と第二携帯電話１０６との間の通信形態を変更するようにしてもよい。例えば、撮像状態の取得要求を第一携帯電話１０２からビデオカメラ１０１へ送信し、ビデオカメラ１０１からの応答によりビデオカメラ１０１が録画状態ないし再生状態になったことを検知してもよい。もしくは、定期的にビデオカメラ１０１が撮像状態を第一携帯電話１０２へ通知するようにしてもよい。
【０１２６】
また、各実施形態において、ビデオカメラ１０１が第一携帯電話１０２の通信状態の判定処理を行ったが、この判定処理は第一携帯電話１０２が行うようにしてもよい。また、各実施形態において、ビデオカメラ１０１と第一携帯電話１０２との間、および、第三携帯電話７０１とテレビ７０２との間は、無線ＬＡＮのＡｄ−ｈｏｃ通信を用いた場合について記載した。しかしながら、これもＡｄ−ｈｏｃ通信に限らず、どちらかの機器がＡＰ（Ａｃｃｅｓｓ  Ｐｏｉｎｔ）となるＩｎｆｒａｓｔｒｕｃｔｕｒｅ通信を用いてもよい。
【０１２７】
また、各実施形態において、ＬＡＮにＩＥＥＥ８０２．１１準拠の無線ＬＡＮを適用した場合について説明したが、これに限る物ではない。例えば、ワイヤレスＵＳＢ、ＭＢＯＡ、Ｂｌｕｅｔｏｏｔｈ（登録商標）、ＵＷＢ、ＺｉｇＢｅｅ等の他の無線媒体において実施してもよい。また、有線ＬＡＮ等の湯煎通信媒体において実施してもよい。
【０１２８】
ここで、ＭＢＯＡは、Ｍｕｌｔｉ  Ｂａｎｄ  ＯＦＤＭ  Ａｌｌｉａｎｃｅの略である。また、ＵＷＢは、ワイヤレスＵＳＢ、ワイヤレス１３９４、ＷＩＮＥＴなどが含まれる。各実施形態において、撮像装置としてビデオカメラを用いて説明したが、これに限る物ではない。例えば、デジタルカメラを用いて実施してもよい。各実施形態において、携帯端末として携帯電話を用いて説明したが、これに限る物ではない。例えば、スマートフォンやＰＨＳ等さらにはＰＣ等の他の携帯端末を用いて実施してもよい。
【０１２９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005902915.tif 000002
【図２】
0005902915.tif 000003
【図３】
0005902915.tif 000004
【図４】
0005902915.tif 000005
【図５】
0005902915.tif 000006
【図６】
0005902915.tif 000007
【図７】
0005902915.tif 000008
【図８】
0005902915.tif 000009
【図９】
0005902915.tif 000010
【図１０】
0005902915.tif 000011
【図１１】
0005902915.tif 000012